(57)【特許請求の範囲】
【請求項１】
移動通信端末におけるセル間の移動に伴う在圏処理に用いられる最適化周辺セルリストを生成するセルリスト生成装置であって、
移動通信端末が在圏する在圏セルにおいて該移動通信端末により測定された、前記在圏セル以外の複数のセルを構成する各々の基地局からの信号に関する測定情報に基づき生成された当該在圏セルの周辺に配置された周辺セルの識別情報のリストである周辺セルリストを取得する周辺セルリスト取得手段と、
前記周辺セルリスト取得手段により取得された一のセルの周辺セルリストに含まれる１以上の周辺セルの識別情報を第１の周辺セルの識別情報として抽出する第１周辺セル抽出手段と、
前記周辺セルリスト取得手段により取得された１以上の前記第１の周辺セルの周辺セルリストの各々に含まれる１以上の周辺セルの識別情報を第２の周辺セルの識別情報として抽出する第２周辺セル抽出手段と、
前記第１周辺セル抽出手段により抽出された第１の周辺セルの識別情報及び前記第２周辺セル抽出手段により抽出された前記第２の周辺セルの識別情報からなる周辺セルのリストを前記一のセルの最適化周辺セルリストとして生成する最適化周辺セルリスト生成手段と、を備え、
前記周辺セルリストは、各周辺セルを構成する基地局からの信号の強度を示す信号強度情報を、該周辺セルの識別情報に対応付けて有しており、
前記第２周辺セル抽出手段は、前記第１の周辺セルの周辺セルリストにおいて、前記周辺セルの識別情報に対応付けられた前記信号強度情報が所定の閾値以上である場合に当該周辺セルの識別情報を第２の周辺セルの識別情報として抽出する、
セルリスト生成装置。
【請求項２】
前記最適化周辺セルリスト生成手段により生成された最適化周辺セルリストに含まれる周辺セルのうち、前記第２の周辺セルとして予め設定された所定期間抽出されていない周辺セルの識別情報を削除する最適化周辺セルリスト削除手段を更に含む、
請求項１に記載のセルリスト生成装置。
【請求項３】
測定された信号の発信元の基地局により構成されるセルの識別情報を含む前記測定情報を取得する測定情報取得手段と、
一のセルに関する測定情報に含まれるセルの識別情報を、当該一のセルの周辺セルリストに加えて、該周辺セルリストに含まれるセルの識別情報を更新する周辺セルリスト更新手段と、
を更に備える請求項１または２に記載のセルリスト生成装置。
【請求項４】
前記測定情報は、測定された信号の強度を示す信号強度情報をセルの識別情報に対応付けて有しており、
前記周辺セルリスト更新手段は、前記測定情報においてセルの識別情報に対応付けられた信号強度情報が所定の閾値以上である場合に、当該セルの識別情報を、前記一のセルの周辺セルリストに加える、
請求項３に記載のセルリスト生成装置。
【請求項５】
前記一のセルの周辺セルリストに含まれる周辺セルのうち、前記周辺セルリスト更新手段により予め設定された所定期間更新されていない周辺セルの識別情報を削除する周辺セルリスト削除手段を更に含む、
請求項３または４に記載のセルリスト生成装置。
【請求項６】
前記最適化周辺セルリスト生成手段により生成された前記一のセルの最適化周辺セルリストを、該一のセルを構成する基地局を介して、該一のセルに在圏する移動通信端末に提供する最適化周辺セルリスト提供手段を更に備える、
請求項１〜５のいずれか１項に記載のセルリスト生成装置。
【請求項７】
移動通信端末におけるセル間の移動に伴う在圏処理に用いられる最適化周辺セルリストを生成するセルリスト生成システムであって、
移動通信端末が在圏する在圏セルにおいて該移動通信端末により測定された、前記在圏セル以外の複数のセルを構成する各々の基地局からの信号に関する測定情報に基づき生成された当該在圏セルの周辺に配置された周辺セルの識別情報のリストである周辺セルリストを取得する周辺セルリスト取得手段と、
前記周辺セルリスト取得手段により取得された一のセルの周辺セルリストに含まれる１以上の周辺セルの識別情報を第１の周辺セルの識別情報として抽出する第１周辺セル抽出手段と、
前記周辺セルリスト取得手段により取得された１以上の前記第１の周辺セルの周辺セルリストの各々に含まれる１以上の周辺セルの識別情報を第２の周辺セルの識別情報として抽出する第２周辺セル抽出手段と、
前記第１周辺セル抽出手段により抽出された第１の周辺セルの識別情報及び前記第２周辺セル抽出手段により抽出された前記第２の周辺セルの識別情報からなる周辺セルのリストを前記一のセルの最適化周辺セルリストとして生成する最適化周辺セルリスト生成手段と、を備え、
前記周辺セルリストは、各周辺セルを構成する基地局からの信号の強度を示す信号強度情報を、該周辺セルの識別情報に対応付けて有しており、
前記第２周辺セル抽出手段は、前記第１の周辺セルの周辺セルリストにおいて、前記周辺セルの識別情報に対応付けられた前記信号強度情報が所定の閾値以上である場合に当該周辺セルの識別情報を第２の周辺セルの識別情報として抽出する、
セルリスト生成システム。
【請求項８】
移動通信端末におけるセル間の移動に伴う在圏処理に用いられる最適化周辺セルリストを生成するセルリスト生成装置におけるセルリスト生成方法であって、
移動通信端末が在圏する在圏セルにおいて該移動通信端末により測定された、前記在圏セル以外の複数のセルを構成する各々の基地局からの信号に関する測定情報に基づき生成された当該在圏セルの周辺に配置された周辺セルの識別情報のリストである周辺セルリストを取得する周辺セルリスト取得ステップと、
前記周辺セルリスト取得ステップにおいて取得された一のセルの周辺セルリストに含まれる１以上の周辺セルの識別情報を第１の周辺セルの識別情報として抽出する第１周辺セル抽出ステップと、
前記周辺セルリスト取得ステップにおいて取得された１以上の前記第１の周辺セルの周辺セルリストの各々に含まれる１以上の周辺セルの識別情報を第２の周辺セルの識別情報として抽出する第２周辺セル抽出ステップと、
前記第１周辺セル抽出ステップにおいて抽出された第１の周辺セルの識別情報及び前記第２周辺セル抽出ステップにおいて抽出された前記第２の周辺セルの識別情報からなる周辺セルのリストを前記一のセルの最適化周辺セルリストとして生成する最適化周辺セルリスト生成ステップと、を有し、
前記周辺セルリストは、各周辺セルを構成する基地局からの信号の強度を示す信号強度情報を、該周辺セルの識別情報に対応付けて有しており、
前記第２周辺セル抽出ステップにおいて、前記第１の周辺セルの周辺セルリストにおいて、前記周辺セルの識別情報に対応付けられた前記信号強度情報が所定の閾値以上である場合に当該周辺セルの識別情報を第２の周辺セルの識別情報として抽出する、
セルリスト生成方法。
【発明の詳細な説明】
【技術分野】
【０００１】
本発明は、セルリスト生成装置、セルリスト生成システム及びセルリスト生成方法に関する。
【背景技術】
【０００２】
移動通信端末の無線通信を実現するために、通信地域を複数のセルに分割して、各セルに設置された基地局と移動通信端末との間で無線通信を行っている。このような構成のシステムでは、移動通信端末がセル間を移動する際の好適な在圏処理等を実現するために、あるセルの周辺に配置されたセルに関する情報を含む周辺セルリストが報知情報として移動通信端末に提供される。従来の周辺セルリストは、人手による調査及び調査結果の判断に基づき作成されていた。また、無線通信端末が過去に在圏したセルの周辺セルリストと、現在在圏するセルの周辺セルリストとに基づき拡張セルリストを作成する技術が知られている。
（例えば、特許文献１参照）。
【先行技術文献】
【特許文献】
【０００３】
【特許文献１】特開２０１０−２７３１１４号公報
【発明の概要】
【発明が解決しようとする課題】
【０００４】
従来において、周辺セルリストは人手による調査に基づき作成されていたので、その調査に要する負担が大きく、コストも嵩んでいた。また、一旦作成された周辺セルリストは、人手による調査及び作成が再び行われるまで更新されることはないので、リストの内容が時間の経過に伴い不適切なものになる場合があった。また、調査結果において、あるセルにおける調査結果として周辺のセルからの電波が取得されたとしても、現実の電波状況は不安定であるため、そのセルを周辺セルリストに加えるか否かといった判断は容易ではなかった。
【０００５】
そこで、本発明は、上記問題点に鑑みてなされたものであり、移動通信端末に提供すべき適切なセルリストを、低コストかつ容易に生成できるセルリスト生成装置、セルリスト生成システム及びセルリスト生成方法を提供することを目的とする。
【課題を解決するための手段】
【０００６】
上記課題を解決するために、本発明のセルリスト生成装置は、移動通信端末におけるセル間の移動に伴う在圏処理に用いられる最適化周辺セルリストを生成するセルリスト生成装置であって、移動通信端末が在圏する在圏セルにおいて該移動通信端末により測定された、在圏セル以外の複数のセルを構成する各々の基地局からの信号に関する測定情報に基づき生成された当該在圏セルの周辺に配置された周辺セルの識別情報のリストである周辺セルリストを取得する周辺セルリスト取得手段と、周辺セルリスト取得手段により取得された一のセルの周辺セルリストに含まれる１以上の周辺セルの識別情報を第１の周辺セルの識別情報として抽出する第１周辺セル抽出手段と、周辺セルリスト取得手段により取得された１以上の第１の周辺セルの周辺セルリストの各々に含まれる１以上の周辺セルの識別情報を第２の周辺セルの識別情報として抽出する第２周辺セル抽出手段と、第１周辺セル抽出手段により抽出された第１の周辺セルの識別情報及び第２周辺セル抽出手段により抽出された第２の周辺セルの識別情報からなる周辺セルのリストを一のセルの最適化周辺セルリストとして生成する最適化周辺セルリスト生成手段と、を備え、周辺セルリストは、各周辺セルを構成する基地局からの信号の強度を示す信号強度情報を、該周辺セルの識別情報に対応付けて有しており、第２周辺セル抽出手段は、第１の周辺セルの周辺セルリストにおいて、周辺セルの識別情報に対応付けられた信号強度情報が所定の閾値以上である場合に当該周辺セルの識別情報を第２の周辺セルの識別情報として抽出する。
【０００７】
また、上記課題を解決するために、本発明のセルリスト生成システムは、移動通信端末におけるセル間の移動に伴う在圏処理に用いられる最適化周辺セルリストを生成するセルリスト生成システムであって、移動通信端末が在圏する在圏セルにおいて該移動通信端末により測定された、在圏セル以外の複数のセルを構成する各々の基地局からの信号に関する測定情報に基づき生成された当該在圏セルの周辺に配置された周辺セルの識別情報のリストである周辺セルリストを取得する周辺セルリスト取得手段と、周辺セルリスト取得手段により取得された一のセルの周辺セルリストに含まれる１以上の周辺セルの識別情報を第１の周辺セルの識別情報として抽出する第１周辺セル抽出手段と、周辺セルリスト取得手段により取得された１以上の第１の周辺セルの周辺セルリストの各々に含まれる１以上の周辺セルの識別情報を第２の周辺セルの識別情報として抽出する第２周辺セル抽出手段と、第１周辺セル抽出手段により抽出された第１の周辺セルの識別情報及び第２周辺セル抽出手段により抽出された第２の周辺セルの識別情報からなる周辺セルのリストを一のセルの最適化周辺セルリストとして生成する最適化周辺セルリスト生成手段と、を備え、周辺セルリストは、各周辺セルを構成する基地局からの信号の強度を示す信号強度情報を、該周辺セルの識別情報に対応付けて有しており、第２周辺セル抽出手段は、第１の周辺セルの周辺セルリストにおいて、周辺セルの識別情報に対応付けられた信号強度情報が所定の閾値以上である場合に当該周辺セルの識別情報を第２の周辺セルの識別情報として抽出する。
【０００８】
また、上記課題を解決するために、本発明のセルリスト生成方法は、移動通信端末におけるセル間の移動に伴う在圏処理に用いられる最適化周辺セルリストを生成するセルリスト生成装置におけるセルリスト生成方法であって、移動通信端末が在圏する在圏セルにおいて該移動通信端末により測定された、在圏セル以外の複数のセルを構成する各々の基地局からの信号に関する測定情報に基づき生成された当該在圏セルの周辺に配置された周辺セルの識別情報のリストである周辺セルリストを取得する周辺セルリスト取得ステップと、周辺セルリスト取得ステップにおいて取得された一のセルの周辺セルリストに含まれる１以上の周辺セルの識別情報を第１の周辺セルの識別情報として抽出する第１周辺セル抽出ステップと、周辺セルリスト取得ステップにおいて取得された１以上の第１の周辺セルの周辺セルリストの各々に含まれる１以上の周辺セルの識別情報を第２の周辺セルの識別情報として抽出する第２周辺セル抽出ステップと、第１周辺セル抽出ステップにおいて抽出された第１の周辺セルの識別情報及び第２周辺セル抽出ステップにおいて抽出された第２の周辺セルの識別情報からなる周辺セルのリストを一のセルの最適化周辺セルリストとして生成する最適化周辺セルリスト生成ステップと、を有し、周辺セルリストは、各周辺セルを構成する基地局からの信号の強度を示す信号強度情報を、該周辺セルの識別情報に対応付けて有しており、第２周辺セル抽出ステップにおいて、第１の周辺セルの周辺セルリストにおいて、周辺セルの識別情報に対応付けられた信号強度情報が所定の閾値以上である場合に当該周辺セルの識別情報を第２の周辺セルの識別情報として抽出する。
【０００９】
本発明によれば、移動通信端末により測定された測定情報に基づき生成された周辺セルリストに基づき最適化周辺セルリストが生成されるので、人手による作業負担が少なく、低コスト且つ容易に最適化周辺セルリストを得ることができる。また、一のセルの周辺セルリストに含まれる第１の周辺セルの識別情報とともに、第１のセルの周辺セルリストに含まれる第２の周辺セルの識別情報が最適化周辺セルリストに含められるので、一のセルに在圏する移動通信端末が移動することにより後に在圏する可能性のあるセルの識別情報が適切に最適化セルリストに含まれることとなる。また、上記構成によれば、第１の周辺セルの周辺セルリストにおける受信レベルが閾値未満の周辺セルの識別情報は、最適化周辺セルリストに含まれない。これにより、不安定な電波状況に起因して偶然に取得されたような信号の送信元の基地局により構成されるセルは、最適化周辺セルリストに含まれないこととなる。従って、適切な最適化周辺セルリストの生成が可能となる。
【００１２】
また、本発明のセルリスト生成装置では、最適化周辺セルリスト生成手段により生成された最適化周辺セルリストに含まれる周辺セルのうち、第２の周辺セルとして予め設定された所定期間抽出されていない周辺セルの識別情報を削除する最適化周辺セルリスト削除手段を更に含む。
【００１３】
この場合には、一旦生成された最適化周辺セルリストの中から、第２の周辺セルとして所定期間抽出されていない周辺セルの識別情報が削除される。一のセルに在圏する移動通信端末が移動することにより後に在圏する可能性が低いセルの識別情報を最適化周辺セルリストから排除できる。従って、移動通信端末に提供する周辺セルリストとしてより適切な最適化周辺セルリストを生成できる。
【００１４】
また、本発明のセルリスト生成装置では、測定された信号の発信元の基地局により構成されるセルの識別情報を含む測定情報を取得する測定情報取得手段と、一のセルに関する測定情報に含まれるセルの識別情報を、当該一のセルの周辺セルリストに加えて、該周辺セルリストに含まれるセルの識別情報を更新する周辺セルリスト更新手段と、を更に備える。
【００１５】
上記構成によれば、移動通信端末により測定された測定情報に含まれるセルの識別情報に基づき、一のセルに対する周辺セルリストが生成されるので、最適化周辺セルリストの生成のための一のセルごとの周辺セルリストが適切に生成される。
【００１６】
また、本発明のセルリスト生成装置では、測定情報は、測定された信号の強度を示す信号強度情報をセルの識別情報に対応付けて有しており、周辺セルリスト更新手段は、測定情報においてセルの識別情報に対応付けられた信号強度情報が所定の閾値以上である場合に、当該セルの識別情報を、一のセルの周辺セルリストに加える。
【００１７】
上記構成によれば、測定情報における信号の強度が閾値未満のセルの識別情報は、周辺セルリストに含まれない。これにより、不安定な電波状況に起因して偶然に取得されたような信号の送信元の基地局により構成されるセルは、周辺セルリストに含まれないこととなる。従って、最適化周辺セルリストの生成に用いるための適切な周辺セルリストの生成が可能となる。
【００１８】
また、本発明のセルリスト生成装置では、一のセルの周辺セルリストに含まれる周辺セルのうち、周辺セルリスト更新手段により予め設定された所定期間更新されていない周辺セルの識別情報を削除する周辺セルリスト削除手段を更に含む。
【００１９】
上記構成によれば、一旦生成された周辺セルリストの中から、所定期間更新されていない周辺セルの識別情報が削除される。これにより、一のセルに在圏する移動通信端末が移動することにより後に在圏する可能性が低いセルの識別情報を周辺セルリストから排除できる。従って、最適化周辺セルリストの生成に用いるためのより適切な周辺セルリストを生成できる。
【００２０】
また、本発明のセルリスト生成装置では、最適化周辺セルリスト生成手段により生成された一のセルの最適化周辺セルリストを、該一のセルを構成する基地局を介して、該一のセルに在圏する移動通信端末に提供する最適化周辺セルリスト提供手段を更に備える。
【００２１】
上記構成によれば、移動通信端末における在圏処理に供するために、最適化周辺セルリストを移動通信端末に提供できる。
【発明の効果】
【００２２】
移動通信端末に提供すべき適切なセルリストを、低コストかつ容易に生成することが可能となる。
【図面の簡単な説明】
【００２３】
【図１】複数の基地局により構成されたセル群を模式的に示す図である。
【図２】セルリスト生成装置を含むシステムの装置構成を示すブロック図である。
【図３】セルリスト生成装置の機能的構成を示すブロック図である。
【図４】セルリスト生成装置のハードウエア構成図である。
【図５】測定情報の構成を模式的に示す図である。
【図６】周辺セルリストの更新処理及び削除処理を示したフローチャートである。
【図７】周辺セルリストの構成及び記憶されているデータの例を示す図である。
【図８】セルリスト生成装置におけるセルリスト生成方法において実施される処理内容を説明する。
【図９】最適化周辺セルリストを模式的に示す図である。
【発明を実施するための形態】
【００２４】
本発明に係るセルリスト生成装置、セルリスト生成システム及びセルリスト生成方法の実施形態について図面を参照して説明する。なお、可能な場合には、同一の部分には同一の符号を付して、重複する説明を省略する。
【００２５】
セルリスト生成装置の説明に先立って、本実施形態の前提となる、各基地局により構成されるセルについて説明する。図１は、複数の基地局により構成されたセル群ＣＥを模式的に示す図である。図１に示すように、通信可能な範囲としてのセルが基地局により構成され、複数の基地局により構成される複数のセルにより、移動通信端末の無線通信が可能な通信可能地域が形成される。図１において、セルＡの周辺には、セルＢ，Ｃ，Ｄ，Ｅ，Ｆ，Ｇが形成されており、これらのセルは、セルＡの周辺セルである。また、セルＢの周辺セルは、セルＲ，Ｓ，Ｈ等である。ここで、あるセルに在圏している移動通信端末が、移動後の在圏処理を速やかに実施するためには、移動後に在圏する可能性のある周辺セルを認識できたり、周辺セルの通信品質を測定できたりすることが好ましい。
【００２６】
図１に示す例では、移動通信端末が起点となるセルＡに在圏している場合には、セルＢ，Ｃ，Ｄ，Ｅ，Ｆ，Ｇを周辺セルとして認識できることが好ましいが、図１は、セルの構成を模式的に示した図であるので、現実のセル群ＣＥの構成は、図１に示されるように整然としたものではない。そのため、セルＡに在圏する移動通信端末が移動した後に、例えばセルＳに在圏することも考えられる。従って、現実の電波の到達状況が反映された周辺セルのリストが移動通信端末に提供されることが好ましい。
【００２７】
図２は、セルリスト生成装置１を含むシステムの装置構成を示すブロック図である。セルリスト生成装置１は、移動通信端末５におけるセル間の移動に伴う在圏処理に用いられる最適化周辺セルリストを生成する装置であって、セルを構成する複数の基地局３とネットワークを介して通信可能に構成されている。また、各基地局３は、該基地局３が構成するセルに在圏する移動通信端末５と通信可能である。
【００２８】
移動通信端末５は、在圏している在圏セルにおいて、当該在圏セル周辺に形成された周辺セルを構成する各々の基地局３からの信号を測定できる。移動通信端末５は、基地局からの信号に基づき、当該基地局３及び周辺セルを識別する識別情報を取得できる。また、移動通信端末５は、基地局３からの信号に基づき、当該信号の強度を示す信号強度情報を取得できる。そして、移動通信端末５は、周辺セルの識別情報及び信号強度情報を含む測定情報を、在圏しているセルを構成する基地局３に送出できる。
【００２９】
基地局３は、移動通信端末５からの測定情報をセルリスト生成装置１に送出する。なお、基地局３は、複数の移動通信端末５から取得した測定情報における、一の周辺セルに関する複数の信号強度情報について、例えば平均化といった所定の統計処理により算出した値を当該一の周辺セルの関する信号強度情報として、セルリスト生成装置１に送出することができる。
【００３０】
図３は、セルリスト生成装置１の機能的構成を示すブロック図である。セルリスト生成装置１は、測定情報取得部１１（測定情報取得手段）、周辺セルリスト更新部１２（周辺セルリスト更新手段）、周辺セルリスト記憶部１３（周辺セルリスト記憶手段）、周辺セルリスト削除部１４（周辺セルリスト削除手段）、周辺セルリスト取得部１５（周辺セルリスト取得手段）、第１周辺セル抽出部１６（第１周辺セル抽出手段）、第２周辺セル抽出部１７（第２周辺セル抽出手段）、最適化周辺セルリスト生成部１８（最適化周辺セルリスト生成手段）、最適化周辺セルリスト記憶部１９（最適化周辺セルリスト記憶手段）、最適化周辺セルリスト削除部２０（最適化周辺セルリスト削除手段）及び最適化周辺セルリスト提供部２１（最適化周辺セルリスト提供手段）を備える。
【００３１】
図４は、セルリスト生成装置１のハードウエア構成図である。セルリスト生成装置１は、物理的には、図４に示すように、ＣＰＵ１０１、主記憶装置であるＲＡＭ１０２及びＲＯＭ１０３、データ送受信デバイスである通信モジュール１０４、ハードディスク、フラッシュメモリ等の補助記憶装置１０５、入力デバイスであるキーボード等の入力装置１０６、ディスプレイ等の出力装置１０７などを含むコンピュータシステムとして構成されている。図３に示した各機能は、図４に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び図３を参照して、セルリスト生成装置１の各機能部について説明する。
【００３２】
測定情報取得部１１は、移動通信端末５が在圏する在圏セルにおいて当該移動通信端末５により測定された情報であって、在圏セル以外の複数のセルを構成する各々の基地局３からの信号に関する測定情報を、基地局３を介して取得する部分である。在圏セル以外の複数のセルは、当該移動通信端末５の周辺セルを構成する。測定情報は、当該移動通信端末５により測定された信号の発信元の基地局３により構成されるセルの識別情報、及び測定された信号の強度を示す受信レベル（信号強度情報）を含む。図５は、測定情報の例を模式的に示す図である。図５に示す例は、セルＡに在圏している移動通信端末５により測定された各基地局からの信号の情報を示している。この測定情報は、セルＡを基点セルとして、基点セルの周辺に構成されたセルであって当該移動通信端末５により信号が検出されたセルの識別情報と、その信号の受信レベルに関する情報を対応付けて含んでいる。この受信レベルは、例えば、セルＡに在圏する複数の移動通信端末５により測定された周辺セルからの信号の受信レベルの平均値である。また、この受信レベルは、複数の移動通信端末５により測定された周辺セルからの信号の受信レベルに対して、所定の統計処理をセルリスト生成装置において施した値であってもよい。
【００３３】
周辺セルリスト更新部１２は、一のセルに関する測定情報に含まれるセルの識別情報を、当該一のセルの周辺セルリストに加えて、当該周辺セルリストに含まれるセルの識別情報を更新する部分である。ここで、一のセルに関する周辺セルリストは、例えば、基地局及び各基地局が構成するセルに関する地理的な情報に基づいて作成された初期状態の周辺セルリストが予め周辺セルリスト記憶部１３に記憶されていることとしてもよいし、周辺セルリストに加えるべきセルの識別情報として周辺セルリスト更新部１２により抽出されたセルの識別情報に基づき生成されることとしてもよい。
【００３４】
また、周辺セルリスト更新部１２は、測定情報においてセルの識別情報に対応付けられた受信レベルが所定の閾値以上である場合に、当該セルの識別情報を、一のセルの周辺セルリストに加えることができる。周辺セルリスト更新部１２による周辺セルリストの更新処理の具体的内容は、後に図６を参照して説明する。
【００３５】
周辺セルリスト記憶部１３は、各セルの周辺セルリストを記憶している部分である。周辺セルリストの具体例については、後に図７を参照して説明する。
【００３６】
周辺セルリスト削除部１４は、一のセルの周辺セルリストに含まれる周辺セルのうち、周辺セルリスト更新部１２により予め設定された所定期間更新されていない周辺セルの識別情報を削除する部分である。周辺セルリスト削除部１４による周辺セルリストの削除処理の具体的内容は、後に図６を参照して説明する。
【００３７】
次に、図６を参照して、周辺セルリストの更新処理及び削除処理を説明する。図６は、周辺セルリストの更新処理及び削除処理を示したフローチャートである。まず、測定情報取得部１１は、移動通信端末５により測定された測定情報を、基地局３を介して取得する（Ｓ１）。測定情報取得部１１は、取得した測定情報を周辺セルリスト更新部１２に送出する。
【００３８】
周辺セルリスト更新部１２は、取得した測定情報に基づき、当該測定情報における基点セルを特定する（Ｓ２）。例えば、図５に示す測定情報が取得された場合には、周辺セルリスト更新部１２は、セルＡを基点セルとして特定する。従って、この場合には、セルＡの周辺セルリストの更新（又は作成）が周辺セルリスト更新部１２により行われる。
【００３９】
次に、周辺セルリスト更新部１２は、測定情報から一の周辺セルの受信レベルを取得する（Ｓ３）。図５に示す例では、周辺セルリスト更新部１２は、まず、周辺セルＢの受信レベル「Ｌ１」を取得する。
【００４０】
続いて、周辺セルリスト更新部１２は、ステップＳ３において取得した受信レベルが所定の閾値以上であるか否かを判定する（Ｓ４）。受信レベルが所定の閾値以上である場合には、処理手順はステップＳ５に進められる。一方、受信レベルが所定の閾値以上でない場合には、処理手順はステップＳ６に進められる。
【００４１】
ステップＳ５において、周辺セルリスト更新部１２は、受信レベルが所定の閾値以上であった周辺セルの識別情報を、基点セルの周辺セルリストに追加する（Ｓ５）。また、すでに、その周辺セルの識別情報が周辺セルリストに含まれていた場合には、周辺セルリスト更新部１２は、周辺セルリストにおける当該周辺セルの更新時を更新する。即ち、後に説明する図７において図示されていないが、周辺セルリストにおける各周辺セルの識別情報は、更新時の情報が対応付けられている。例えば、図５における受信レベル「Ｌ１」が所定の閾値以上であった場合には、周辺セルリスト更新部１２は、周辺セル「Ｂ」の識別情報を、セルＡに関する周辺セルリストに追加又は日時の更新をする。なお、周辺セルリスト更新部１２は、周辺セルリストへのセルの識別情報の追加又は更新に際して、測定情報において当該セルの識別情報に対応付けられていた受信レベルを併せて記憶させる。
【００４２】
そして、周辺セルリスト更新部１２は、測定情報に含まれる全ての周辺セルについて判定済みであるか否かを判定する（Ｓ６）。全ての周辺セルについて判定済みであると判定された場合には、処理手順はステップＳ７に進められる。一方、全ての周辺セルについて判定済みであると判定されなかった場合には、処理手順はステップＳ３に戻る。
【００４３】
次に、周辺セルリスト削除部１４は、周辺セルリストに含まれる周辺セルのうち、周辺セルリスト更新部１２により追加又は更新されてから所定期間以上経過したものを抽出し、周辺セルリストから削除する（Ｓ７）。そして、周辺セルリストが確定される（Ｓ８）。
【００４４】
図６に示した処理は、測定情報ごとに実施される。また、この処理は、一定時間の経過ごとに実施されてもよいし、測定情報が取得されるごとに実地されることとしてもよい。
【００４５】
図７は、周辺セルリスト更新部１２及び周辺セルリスト削除部１４による追加更新処理及び削除処理を経て周辺セルリスト記憶部１３に記憶されている周辺セルリストの例を示す図である。図７（ａ）は、セルＡに関する周辺セルリストである。図７（ａ）に示すように、セルＡの周辺セル及び受信レベルが併せて記憶されている。図７（ｂ）、（ｃ）は、それぞれセルＢ及びセルＣの周辺セルリストである。図７（ｂ）に示すように、セルＢの周辺セルリストは、セルＲ，Ｓ，Ｈを周辺セルとして含んでおり、各々受信レベルが対応付けられている。図７（ｃ）に示すように、セルＣの周辺セルリストは、セルＨ，Ｉ，Ｊを周辺セルとして含んでおり、各々受信レベルが対応付けられている。
【００４６】
以上のように、測定情報取得部１１、周辺セルリスト更新部１２、周辺セルリスト削除部１４により図６に示すような処理が実施されるので、移動通信端末５により測定された測定情報に含まれるセルの識別情報に基づき、一のセルに対する周辺セルリストが生成される。これにより、最適化周辺セルリストの生成のための一のセルごとの周辺セルリストが適切に生成される。
【００４７】
また、上記処理では、測定情報における信号の受信レベルが閾値未満のセルの識別情報は、周辺セルリストに含まれない。これにより、不安定な電波状況に起因して偶然に取得されたような信号の送信元の基地局により構成されるセルは、周辺セルリストに含まれないこととなる。従って、最適化周辺セルリストの生成に用いるための適切な周辺セルリストの生成が可能となる。
【００４８】
更に、上記処理では、一旦生成された周辺セルリストの中から、所定期間更新されていない周辺セルの識別情報が削除される。これにより、一のセルに在圏する移動通信端末５が移動することにより後に在圏する可能性が低いセルの識別情報を周辺セルリストから排除できる。従って、最適化周辺セルリストの生成に用いるためのより適切な周辺セルリストを生成できる。
【００４９】
再び図３を参照して、その他の機能部について説明する。周辺セルリスト取得部１５は、周辺セルリスト記憶部１３に記憶された各セルの周辺セルリストを取得する部分である。周辺セルリスト取得部１５は、取得した周辺セルリストを第１周辺セル抽出部１６及び第２周辺セル抽出部１７に送出する。
【００５０】
第１周辺セル抽出部１６は、周辺セルリスト取得部１５により取得された一のセルの周辺セルリストに含まれる１以上の周辺セルの識別情報を第１の周辺セルの識別情報として抽出する部分である。具体的には、第１周辺セル抽出部１６は、最適化周辺セルリストを生成する対象のセルを基点セルとして選択し、基点セルの周辺セルリストに含まれる周辺セルの識別情報を、第１の周辺セルの識別情報として抽出する。例えば、基点セルをセルＡとした場合に、第１周辺セル抽出部１６は、セルＡの周辺セルリスト（図７（ａ）参照）に基づき、セルＢ，Ｃ，Ｄ，Ｅ，Ｆ，Ｇを第１の周辺セルとして抽出する。第１周辺セル抽出部１６は、抽出した第１の周辺セルの識別情報を最適化周辺セルリスト生成部１８に送出する。
【００５１】
第２周辺セル抽出部１７は、周辺セルリスト取得部１５により取得された１以上の第１の周辺セルの周辺セルリストの各々に含まれる１以上の周辺セルの識別情報を第２の周辺セルの識別情報として抽出する部分である。具体的には、第２周辺セル抽出部１７は、第１周辺セル抽出部１６により抽出された第１の周辺セルに関する各々の周辺セルリストを周辺セルリスト取得部１５を介して取得し、取得した各周辺セルリストに含まれている複数の周辺セルの識別情報を第２の周辺セルの識別情報として抽出する。第２の周辺セルは、基点セルから見て、いわゆる孫セルに該当することとなる。第２周辺セル抽出部１７は、抽出した第２の周辺セルの識別情報を最適化周辺セルリスト生成部１８に送出する。
【００５２】
また、第２周辺セル抽出部１７は、第１の周辺セルの周辺セルリストにおいて、周辺セルの識別情報に対応付けられた受信レベルが所定の閾値以上である場合に当該周辺セルの識別情報を第２の周辺セルの識別情報として抽出することができる。例えば、基点セルをセルＡとして、第１周辺セル抽出部１６によりセルＢが第１の周辺セルとして抽出された場合に、第２周辺セル抽出部１７は、セルＢの周辺セルリスト（図７（ｂ）参照）を参照して、例えば−８０ｄＢｍといった閾値以上の受信レベルを有するセルＳを、第２の周辺セルとして抽出する。
【００５３】
最適化周辺セルリスト生成部１８は、第１周辺セル抽出部１６により抽出された第１の周辺セルの識別情報及び第２周辺セル抽出部１７により抽出された第２の周辺セルの識別情報からなる周辺セルのリストを一のセルの最適化周辺セルリストとして生成する部分である。具体的には、最適化周辺セルリスト生成部１８は、第１周辺セル抽出部１６により抽出された第１の周辺セルであるセルＢ，Ｃ，Ｄ，Ｅ，Ｆ，Ｇ、及び第２の周辺セルとして抽出されたセルＳ等からなる周辺セルのリストを最適化周辺セルリストとして生成する。
【００５４】
なお、あるセルに関する最適化周辺セルリストが既に生成されて、最適化周辺セルリスト記憶部１９に記憶されている場合には、最適化周辺セルリスト生成部１８は、第１の周辺セル及び第２の周辺セルの識別情報により、最適化周辺セルリスト記憶部１９に記憶されている最適化周辺セルリストを更新する。なお、後述する図９には図示されていないが、この更新処理に際して、最適化周辺セルリスト記憶部１９において、更新時に関する情報が各周辺セルの識別情報に対応付けて記憶される。最適化周辺セルリストの生成処理については、後に図８を参照して説明する。
【００５５】
最適化周辺セルリスト記憶部１９は、最適化周辺セルリスト生成部１８により生成された最適化周辺セルリストを記憶している部分である。
【００５６】
最適化周辺セルリスト削除部２０は、最適化周辺セルリスト生成部１８により生成された最適化周辺セルリストに含まれる周辺セルのうち、第２の周辺セルとして予め設定された所定期間抽出又は更新されていない周辺セルの識別情報を削除する部分である。具体的には、最適化周辺セルリスト削除部２０は、最適化周辺セルリストにおいて各周辺セルの識別情報に対応付けられている更新時に関する情報を参照し、更新時から所定期間以上が経過している周辺セルを最適化周辺セルリストから削除する。
【００５７】
次に、図８を参照して、セルリスト生成装置１におけるセルリスト生成方法において実施される処理内容を説明する。
【００５８】
まず、第１周辺セル抽出部１６は、最適化周辺セルリストを生成する対象のセルを基点セルとして選択し、周辺セルリスト取得部１５を介して基点セルの周辺セルリストを取得し、基点セルの周辺セルリストに含まれる周辺セルの識別情報を、第１の周辺セルの識別情報として抽出する。そして、最適化周辺セルリスト生成部１８は、第１周辺セル抽出部１６により抽出された第１の周辺セルの識別情報を、基点セルの最適化周辺セルリストに追加又は更新する（Ｓ１１）。
【００５９】
次に、第２周辺セル抽出部１７は、ステップＳ１１において第１周辺セル抽出部１６により抽出された複数の第１の周辺セルのうちの一の第１の周辺セルの周辺セルリストを、周辺セルリスト取得部１５を介して取得する（Ｓ１２）。続いて、第２周辺セル抽出部１７は、ステップＳ１２において取得した第１の周辺セルの周辺セルリストに含まれる周辺セルの識別情報に対応付けられた受信レベルを取得する（Ｓ１３）。
【００６０】
次に、第２周辺セル抽出部１７は、ステップＳ１３において抽出した受信レベルが所定の閾値以上であるか否かを判定する（Ｓ１４）。受信レベルが所定の閾値以上である場合には、処理手順はステップＳ１５に進められる。一方、受信レベルが所定の閾値以上でない場合には、処理手順はステップＳ１６に進められる。
【００６１】
そして、第２周辺セル抽出部１７は、受信レベルが所定値以上であった周辺セルの識別情報を第２の周辺セルの識別情報として抽出する。さらに、最適化周辺セルリスト生成部１８は、第２周辺セル抽出部１７により抽出された第２の周辺セルの識別情報を、当該基点セルの最適化周辺セルリストに追加又は更新する（Ｓ１５）。
【００６２】
ステップＳ１６において、第２周辺セル抽出部１７は、ステップＳ１２で取得した第１の周辺セルの周辺セルのうち、全ての周辺セルについてステップＳ１３〜Ｓ１５の判定済みであるか否かを判定する（Ｓ１６）。全ての周辺セルについて判定済みであると判定された場合には、処理手順はステップＳ１７に進められる。一方、全ての周辺セルについて判定済みであると判定されなかった場合には、処理手順はステップＳ１３に戻る。
【００６３】
ステップＳ１７において、第２周辺セル抽出部１７は、基点セルの周辺セルである第１の周辺セルのうち、全ての第１の周辺セルの周辺セルリストについて、ステップＳ１２〜Ｓ１６の判定済みであるか否かを判定する（Ｓ１７）。全ての第１の周辺セルの周辺セルリストについて判定済みであると判定された場合には、処理手順はステップＳ１８に進められる。一方、全ての第１の周辺セルの周辺セルリストについて判定済みであると判定されなかった場合には、処理手順はステップＳ１２に戻る。
【００６４】
ステップＳ１８において、最適化周辺セルリスト削除部２０は、最適化周辺セルリストに含まれる周辺セルのうち、最適化周辺セルリスト生成部１８により追加又は更新されてから所定期間以上経過したものを抽出し、最適化周辺セルリストから削除する（Ｓ１８）。そして、最適化周辺セルリストが確定される（Ｓ１９）。
【００６５】
図９は、図８を参照して説明した処理により生成された最適化周辺セルリストの例を示す図である。図９に示す最適化周辺セルリストは、セルＡに関するものである。従って、この最適化周辺セルリストは、第１周辺セル抽出部１６により抽出された、セルＡの周辺セルＢ，Ｃ，Ｄ，Ｅ，Ｆ，Ｇを含む（図７（ａ）参照）。さらに、図８のフローチャートのステップＳ１４における所定の閾値が、例えば、−８０ｄＢｍである場合には、第２周辺セル抽出部１７により、セルＢの周辺セルリスト（図７（ｂ）参照）からセルＳが抽出されると共に、セルＣの周辺セルリスト（図７（ｃ）参照）からセルＪが抽出される。従って、セルＡの最適化周辺セルリストは、セルＢ，Ｃ，Ｄ，Ｅ，Ｆ，Ｇに加えて、セルＳ，Ｊを含む。
【００６６】
以上の処理が実施されることにより、第１の周辺セルの周辺セルリストにおける受信レベルが閾値未満の周辺セルの識別情報は、最適化周辺セルリストに含まれない。これにより、不安定な電波状況に起因して偶然に取得されたような信号の送信元の基地局により構成されるセルは、最適化周辺セルリストに含まれないこととなる。従って、適切な最適化周辺セルリストの生成が可能となる。
【００６７】
また、以上説明した処理では、一旦生成された最適化周辺セルリストの中から、第２の周辺セルとして所定期間抽出されていない周辺セルの識別情報が削除される。これにより、一のセルに在圏する移動通信端末が移動することにより後に在圏する可能性が低いセルの識別情報を最適化周辺セルリストから排除できる。従って、移動通信端末に提供する周辺セルリストとしてより適切な最適化周辺セルリストを生成できる。
【００６８】
再び図２を参照して、機能部の説明を続ける。最適化周辺セルリスト提供部２１は、最適化周辺セルリスト生成部１８により生成された一のセルの最適化周辺セルリストを、当該一のセルを構成する基地局３を介して、当該一のセルに在圏する移動通信端末５に提供する部分である。この構成により、移動通信端末５における在圏処理に供するための最適化周辺セルリストを移動通信端末５に提供できる。
【００６９】
なお、セルリスト生成装置１の各機能部１１〜２１は、複数の装置に分散されて構成されて、それらの装置によりセルリスト生成システムを構成されてもよい。例えば、それらの機能部１１〜２１のいずれか又は全部が基地局に構成されてもよい。
【００７０】
本実施形態のセルリスト生成装置１０、セルリスト生成システム及びセルリスト生成方法によれば、移動通信端末５により測定された測定情報に基づき生成された周辺セルリストに基づき最適化周辺セルリストが生成されるので、人手による作業負担が少なく、低コスト且つ容易に最適化周辺セルリストを得ることができる。また、一のセルの周辺セルリストに含まれる第１の周辺セルの識別情報とともに、第１のセルの周辺セルリストに含まれる第２の周辺セルの識別情報が最適化周辺セルリストに含められるので、一のセルに在圏する移動通信端末５が移動することにより後に在圏する可能性のあるセルの識別情報が適切に最適化セルリストに含まれることとなる。
【００７１】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００７２】
１…セルリスト生成装置、３…基地局、５…移動通信端末、１０…セルリスト生成装置、１１…測定情報取得部、１２…周辺セルリスト更新部、１３…周辺セルリスト記憶部、１４…周辺セルリスト削除部、１５…周辺セルリスト取得部、１６…周辺セル抽出部、１７…周辺セル抽出部、１８…最適化周辺セルリスト生成部、１９…最適化周辺セルリスト記憶部、２０…最適化周辺セルリスト削除部、２１…最適化周辺セルリスト提供部。
【図１】
0005902979.tif 000002
【図２】
0005902979.tif 000003
【図３】
0005902979.tif 000004
【図４】
0005902979.tif 000005
【図５】
0005902979.tif 000006
【図６】
0005902979.tif 000007
【図７】
0005902979.tif 000008
【図８】
0005902979.tif 000009
【図９】
0005902979.tif 000010